(57)【要約】【課題】  無線端末に大きな変更を強いることなく小さな消費電力でソフトウェアの更新を可能にする。【解決手段】  アンテナ、ＲＦ信号処理部、ＩＦ信号処理部、ベースバンド信号処理部、制御部を備えた無線端末に搭載されているソフトウェアを更新する無線端末のソフトウェア更新方法において、保守用端末から更新データで変調したＩＦ信号を送信し、アンテナに受信したＩＦ信号がＲＦ信号処理部を通過してＩＦ信号処理部に入力し、このＩＦ信号をベースバンド信号に変換して更新データを復調し、この更新データを用いてソフトウェアの更新を行う。【選択図】        図１
2008244600.tif 000002
【特許請求の範囲】
【請求項１】
アンテナ、ＲＦ（無線周波数）信号処理部、ＩＦ（中間周波数）信号処理部、ベースバンド信号処理部、制御部を備えた無線端末に搭載されているソフトウェアを更新する無線端末のソフトウェア更新方法において、
保守用端末から更新データで変調したＩＦ（中間周波数）信号を送信し、
前記アンテナに受信した前記ＩＦ信号が前記ＲＦ信号処理部を通過して前記ＩＦ信号処理部に入力し、このＩＦ信号をベースバンド信号に変換して前記更新データを復調し、この更新データを用いて前記ソフトウェアの更新を行う
ことを特徴とする無線端末のソフトウェア更新方法。
【請求項２】
請求項１に記載の無線端末のソフトウェア更新方法において、
前記ＩＦ信号を受信するときに、前記ＲＦ信号処理部の電源をオフに制御する
ことを特徴とする無線端末のソフトウェア更新方法。
【請求項３】
アンテナ、ＲＦ（無線周波数）信号処理部、ＩＦ（中間周波数）信号処理部、ベースバンド信号処理部、制御部を備えた無線端末に搭載されているソフトウェアを更新する無線端末のソフトウェア更新装置において、
前記ソフトウェアの更新データで変調したＩＦ（中間周波数）信号を送信する保守用端末を備え、
前記無線端末は、前記アンテナに受信した前記ＩＦ信号が前記ＲＦ信号処理部を通過して前記ＩＦ信号処理部に入力し、このＩＦ信号をベースバンド信号に変換して前記更新データを復調し、この更新データを用いて前記ソフトウェアの更新を行う構成である
ことを特徴とする無線端末のソフトウェア更新装置。
【請求項４】
請求項３に記載の無線端末のソフトウェア更新装置において、
前記保守用端末は、前記無線端末のアンテナに受信するＲＦ信号をシールドできる構造のＩＦ信号放射部を備え、前記更新データで変調したＩＦ信号を送信するときに当該ＩＦ信号放射部を前記無線端末のアンテナの近傍に配置する
ことを特徴とする無線端末のソフトウェア更新装置。
【請求項５】
請求項３に記載の無線端末のソフトウェア更新装置において、
前記制御部は、前記更新データで変調したＩＦ信号を受信するときに、前記ＲＦ信号処理部の電源をオフに制御する構成である
ことを特徴とする無線端末のソフトウェア更新装置。
【請求項６】
請求項３に記載の無線端末のソフトウェア更新装置において、
前記無線端末は、前記ＲＦ信号処理部をバイパスして前記アンテナと前記ＩＦ信号処理部を接続するバイパス手段およびその接続をオン／オフするスイッチを備え、
前記制御部は、前記ＲＦ信号を受信するときは前記スイッチをオフに制御し、前記更新データで変調したＩＦ信号を受信するときに前記スイッチをオンに制御する構成である
ことを特徴とする無線端末のソフトウェア更新装置。
【発明の詳細な説明】
【技術分野】
【０００１】
本発明は、使用中の無線端末の内部ファームウェアなどのソフトウェアの更新に用いられる無線端末のソフトウェア更新方法およびソフトウェア更新装置に関する。
【背景技術】
【０００２】
図５は、従来の無線端末のソフトウェア更新方法の第１の形態を示す。ここでは、無線端末をサービスショップなどに持ち込み、保守用端末から無線端末のファームウェアを更新する例を示す。
【０００３】
図において、無線端末５０は、アンテナ５１と、無線信号処理部５２と、ベースバンド信号処理部５３と、更新対象のファームウェア５４を含む制御部５５から構成される。無線端末５０には、インタフェースを介して制御部５５に接続される保守用ポート５６がある。ファームウェア５４の更新が必要になった場合には、無線端末５０の提供者がなんらかの方法でユーザに通知し、ユーザが無線端末５０をサービスショップなどに持ち込む。サービスショップでは、無線端末５０の保守用ポート５６に保守用端末６０を接続し、所定の操作により保守用端末６０からファームウェア５４の更新データをダウンロードし、ファームウェア５４の書き換えを行う。
【０００４】
図６は、従来の無線端末のソフトウェア更新方法の第２の形態を示す。ここでは、ネットワークから無線端末のファームウェアを更新する例を示す（非特許文献１）。
【０００５】
図において、無線端末５０は、アンテナ５１と、無線信号処理部５２と、ベースバンド信号処理部５３と、更新対象のファームウェア５４を含む制御部５５から構成される。無線端末５０のファームウェア５４の更新が必要になった場合には、無線端末５０の提供者が更新データを該当する無線端末５０宛に送信する。この更新データは、図外のネットワークから無線基地局６１に伝送され、無線基地局６１から搬送波に乗せてＲＦ（無線周波数）信号として送信される。無線端末５０は、通常の受信処理に用いる信号処理回路を介して更新データを受信し、ファームウェア５４の書き換えを行う。
【非特許文献１】無線通信を利用したソフトウェア更新システム「エアダウンロード」http://www.nttdocomo.co.jp/binary/pdf/info/news release/report/050216.pdf
【発明の開示】
【発明が解決しようとする課題】
【０００６】
無線端末のソフトウェアを更新する従来の第１の形態では、無線端末５０に専用の保守用端末６０と接続する保守用ポート５６を備える必要がある。そのため、無線端末５０にその実装スペースを確保する必要があり、小型化の制約になっていた。また、この保守用ポート５６を利用してユーザが勝手にソフトウェアの書き換えができないようにする必要があり、そのために余計な仕組みが必要になっていた。
【０００７】
無線端末のソフトウェアを更新する従来の第２の形態では、ソフトウェアの更新のために運用中の伝送帯域を占有することになり、更新データが大きくなるほど伝送帯域を圧迫する問題があった。
【０００８】
また、従来の第１の形態と第２の形態を合わせたものとして、無線端末の近くで専用の保守用端末から無線信号として更新データを送信し、無線端末の通常の受信系で受信してソフトウェアを更新する形態も考えられるが、サービス中の無線周波数を利用すると近くの他の無線端末に影響を与える可能性がある。また、第１の形態と同様に、公開されている無線周波数を使用すると、ユーザによる勝手な書き換えを阻止するための仕組みが必要になる。また、第２の形態と同様に、高周波ＲＦ回路を動作させる必要があり、消費電力が大きくなる問題がある。
【０００９】
本発明は、無線端末に大きな変更を強いることなく小さな消費電力でソフトウェアの更新を行うことができる無線端末のソフトウェア更新方法およびソフトウェア更新装置を提供することを目的とする。
【課題を解決するための手段】
【００１０】
第１の発明は、アンテナ、ＲＦ信号処理部、ＩＦ信号処理部、ベースバンド信号処理部、制御部を備えた無線端末に搭載されているソフトウェアを更新する無線端末のソフトウェア更新方法において、保守用端末から更新データで変調したＩＦ信号を送信し、アンテナに受信したＩＦ信号がＲＦ信号処理部を通過してＩＦ信号処理部に入力し、このＩＦ信号をベースバンド信号に変換して更新データを復調し、この更新データを用いてソフトウェアの更新を行う。
【００１１】
ここで、ＩＦ信号を受信するときに、ＲＦ信号処理部の電源をオフに制御するようにしてもよい。
【００１２】
第２の発明は、アンテナ、ＲＦ信号処理部、ＩＦ信号処理部、ベースバンド信号処理部、制御部を備えた無線端末に搭載されているソフトウェアを更新する無線端末のソフトウェア更新装置において、ソフトウェアの更新データで変調したＩＦ信号を送信する保守用端末を備え、無線端末は、アンテナに受信したＩＦ信号がＲＦ信号処理部を通過してＩＦ信号処理部に入力し、このＩＦ信号をベースバンド信号に変換して更新データを復調し、この更新データを用いてソフトウェアの更新を行う構成である。
【００１３】
保守用端末は、無線端末のアンテナに受信するＲＦ信号をシールドできる構造のＩＦ信号放射部を備え、更新データで変調したＩＦ信号を送信するときに当該ＩＦ信号放射部を無線端末のアンテナの近傍に配置するようにしてもよい。
【００１４】
制御部は、更新データで変調したＩＦ信号を受信するときに、ＲＦ信号処理部の電源をオフに制御する構成としてもよい。また、無線端末は、ＲＦ信号処理部をバイパスしてアンテナとＩＦ信号処理部を接続するバイパス手段およびその接続をオン／オフするスイッチを備え、制御部は、ＲＦ信号を受信するときはスイッチをオフに制御し、更新データで変調したＩＦ信号を受信するときにスイッチをオンに制御する構成としてもよい。
【発明の効果】
【００１５】
本発明のソフトウェア更新方法および装置を用いた無線端末は、更新データをＩＦ信号により受信するので、更新データをダウンロードするための有線ポートが不要である。
【００１６】
また、外部に公開されない中間周波数のＩＦ信号を用いるため、サービスに用いているＲＦ信号を利用する場合に比べてユーザによる勝手な書き換えを阻止することが容易である。また、中間周波数は、サービスに用いられる無線周波数と異なるため、他の無線端末に与える影響は小さい。また、更新データで変調したＩＦ信号を受信する際にＲＦ信号をシールドすることにより、ソフトウエア更新期間中に基地局からの電波を遮断することができ、更新情報を安定に入力することができる。
【００１７】
また、通常の運用中に比べて大量の更新データを、比較的消費電力が大きいＲＦ信号処理部を使用せずにダウンロードすることができ、ソフトウェアの更新に伴う消費電力を低減することができる。
【発明を実施するための最良の形態】
【００１８】
図１は、本発明の無線端末のソフトウェア更新装置の実施形態を示す。
図において、無線端末１０は、アンテナ１１と、ＲＦ信号処理部１２と、ＩＦ信号処理部１３と、ベースバンド信号処理部１４と、更新対象のファームウェア１５を含む制御部１６から構成される。基本的な構成は図６に示す従来構成と同様であるが、図６に示す従来構成では本実施形態のＲＦ信号処理部１２とＩＦ信号処理部１３を合わせて無線信号処理部５２としている。
【００１９】
本発明の特徴とするところは、保守用端末２０と無線端末１０を無線接続し、保守用端末２０から無線端末１０にソフトウェアの更新データをダウンロードする媒体としてＩＦ（中間周波数）信号を用いるところにある。保守用端末２０は、更新データで変調したＩＦ信号を送信する機能を有し、ＩＦ信号放射部２１は、無線端末１０のアンテナ１１に受信するＲＦ信号をシールドできる構造とする。図１では、無線端末１０のアンテナ１１を包み込むような形状のＩＦ信号放射部２１を表示しているが、そのような形状に限定されるものではない。ＩＦ信号放射部２１から放射されたＩＦ信号は、アンテナ１１からＲＦ信号処理部１２を通過してＩＦ信号処理部１３に入力され、ＩＦ信号からベースバンド信号に変換されてベースバンド信号処理部１４に入力される。ベースバンド信号処理部１４では、通常の信号処理によりＩＦ信号を用いて伝送された更新データを復調し、制御部１６を介してファームウェア１５を更新する。
【００２０】
図２は、無線端末の通常運用時の受信回路系を示す。
図において、アンテナ１１に受信するＲＦ信号（搬送波周波数ｆRF）は、増幅器１２１、ミキサ１２２、発振器（発振周波数ｆLO1 ）１２３からなるＲＦ信号処理部１２でＩＦ信号（周波数ｆIF＝ｆRF−ｆLO1 ）に変換され、さらに増幅器１３１、ミキサ１３２、発振器（発振周波数ｆLO2 ＝ｆIF）１３３からなるＩＦ信号処理部１３でベースバンド信号に変換され、ベースバンド信号処理部１４に入力される。
【００２１】
図３は、本発明の無線端末のソフトウェア更新装置における第１の受信回路系を示す。
図において、アンテナ１１に受信する更新データで変調されたＩＦ信号（周波数ｆIF）は、ＲＦ信号処理部１２の回路内の寄生容量や基板、電源ラインなどを介し、減衰しつつもＩＦ信号処理部１３の増幅器１３１の入力に達する。このＩＦ信号は、ミキサ１３２で発振器１３３の出力信号（周波数ｆLO2 ＝ｆIF）とミキシングしてベースバンド信号に変換され、ベースバンド信号処理部１４に入力される。
【００２２】
ここで、無線端末１０の制御部１６は、ソフトウェアの更新を行うコマンドを認識した場合に、ＲＦ信号処理部１２の電源をオフ、ＩＦ信号処理部１３以降の各部の電源をオンにする制御を行うことにより、更新データで変調されたＩＦ信号を受信してソフトウェア更新を行うときの消費電力を低減することができる。
【００２３】
図４は、本発明の無線端末のソフトウェア更新装置における第２の受信回路系を示す。
図において、アンテナ１１に受信する更新データで変調されたＩＦ信号（周波数ｆIF）は、増幅器１２１、ミキサ１２２、発振器（発振周波数ｆLO1 ）１２３からなるＲＦ信号処理部１２をバイパスするバイパス経路１７を介して、ＩＦ信号処理部１３の増幅器１３１に入力する。このＩＦ信号は、ミキサ１３２で発振器１３３の出力信号（周波数ｆLO2 ＝ｆIF）とミキシングしてベースバンド信号に変換され、ベースバンド信号処理部１４に入力される。
【００２４】
ここで、バイパス経路１７には、通常のＲＦ信号受信時にはオフとなり、ソフトウェアの更新のために更新データで変調されたＩＦ信号を受信するときにオンとなるスイッチ１８を設ける。無線端末１０の制御部１６は、ソフトウェアの更新を行うコマンドを認識した場合に、ＲＦ信号処理部１２の電源をオフ、ＩＦ信号処理部１３以降の各回路の電源をオンにするとともに、スイッチ１８をオンにする制御を行うことにより、更新データで変調されたＩＦ信号の伝送を容易にし、かつソフトウェア更新を行うときの消費電力を低減することができる。
【図面の簡単な説明】
【００２５】
【図１】本発明の無線端末のソフトウェア更新装置の実施形態を示す図。
【図２】無線端末の通常運用時の受信回路系を示す図。
【図３】本発明の無線端末のソフトウェア更新装置における第１の受信回路系を示す図。
【図４】本発明の無線端末のソフトウェア更新装置における第２の受信回路系を示す図。
【図５】従来の無線端末のソフトウェア更新方法の第１の形態を示す図。
【図６】従来の無線端末のソフトウェア更新方法の第２の形態を示す図。
【符号の説明】
【００２６】
１０  無線端末
１１  アンテナ
１２  ＲＦ信号処理部
１３  ＩＦ信号処理部
１４  ベースバンド信号処理部
１５  ファームウェア
１６  制御部
２０  保守用端末
２１  ＩＦ信号放射部
５０  無線端末
５１  アンテナ
５２  無線信号処理部
５３  ベースバンド信号処理部
５４  ファームウェア
５５  制御部
５６  保守用ポート
６０  保守用端末
６１  無線基地局
【図１】
2008244600.tif 000003
【図２】
2008244600.tif 000004
【図３】
2008244600.tif 000005
【図４】
2008244600.tif 000006
【図５】
2008244600.tif 000007
【図６】
2008244600.tif 000008